(57)【特許請求の範囲】
【請求項１】
（Ａ）容器の上面に設けられた開口部に取り付けられる、ストロー装着可能な柔軟性樹脂からなる吸い口キャップであって、開口部に挿入する挿入筒とその外側に設けられた液漏れ防止カバーと、挿入筒上部に設けられたストロー装着筒とからなることを特徴とする吸い口キャップ、
（Ｂ）容器上面の周縁に嵌合可能に形成した、前記吸い口キャップを覆うストロー装着筒カバーを具備したオーバーキャップ、
とからなる口栓であって、前記オーバーキャップは、前記吸い口キャップのストロー装着筒が貫通する貫通孔を有する天板と、該天板周縁に設けられた容器上面周縁に嵌合可能な周縁部と、前記天板あるいは周縁部のいずれかに連結されたストロー装着筒カバーとからなることを特徴とする口栓。
【請求項２】
前記（Ａ）の吸い口キャップは、挿入筒が、開口部に嵌合する嵌合手段を備えていることを特徴とする、請求項１記載の口栓。
【請求項３】
前記（Ａ）の吸い口キャップは、液漏れ防止カバーが、開口部を囲繞して容器上面に接する裾部を有する筒状体であることを特徴とする、請求項１記載の口栓。
【請求項４】
開口部を設けた容器の上面に取り付けられる口栓であって、開口部に挿入される挿入筒と、容器上面に嵌合して取り付けられるオーバーキャップとからなり、前記オーバーキャップは、ストロー装着筒を備えた天板と、該天板周縁に設けられた、容器上面周縁に嵌合可能な周縁部と、前記天板あるいは周縁部のいずれかに連結されたストロー装着筒カバーとからなり、前記挿入筒とストロー装着筒は液密に上下方向に連結されていることを特徴とする口栓。
【請求項５】
挿入筒の外側に、液漏れ防止カバーが設けられたことを特徴とする、請求項４記載の口栓。
【請求項６】
液漏れ防止カバーが、開口部を囲繞して容器上面に接する裾部を有する筒状体であることを特徴とする、請求項５記載の口栓。
【発明の詳細な説明】
【０００１】
【発明の属する技術分野】
本発明は、内容物として飲料や流動食等を充填した、例えば缶状容器の開口部に取り付ける口栓に関するものである。
【０００２】
【従来の技術】
従来より、乳幼児や高齢者、あるいは入院患者などのために、乳幼児用ほ乳瓶や金属缶用に取り付けて使用する、エラストマーやシリコンゴムなどの柔軟性樹脂からなる吸い口やストレイナーが知られている。
【０００３】
例えば、柔軟性樹脂からなる金属缶用の後付けキャップが販売されているが、金属缶の開口部あるいは開口上面にぴったりと嵌合せず、飲み口部分からの液漏れやこぼれやすいという問題があり、使用者からは改善が望まれている。
また、上記したキャップを使用すれば金属製飲料缶などの容器から内容物を飲むことが容易にはなるが、依然として容器を持ち上げ、傾けなければ内容物を飲むことができず、手や腕に障害があったり不自由な状況にある場合には、満足できるものではなかった。
【０００４】
【発明が解決しようとする課題】
本発明は上記課題を解決するためのものであり、高齢者や乳幼児、あるいは入院患者など向けに展開する飲料や流動食を充填した缶状容器に取り付けて使用する、飲み易さ、こぼしにくさを追求した口栓を提供するものである。
【０００５】
【課題を解決するための手段】
すなわち請求項１に記載の発明は、（Ａ）容器の上面に設けられた開口部に取り付けられる、ストロー装着可能な柔軟性樹脂からなる吸い口キャップであって、開口部に挿入する挿入筒とその外側に設けられた液漏れ防止カバーと、挿入筒上部に設けられたストロー装着筒とからなることを特徴とする吸い口キャップ、（Ｂ）容器上面の周縁に嵌合可能に形成した、前記吸い口キャップを覆うストロー装着筒カバーを具備したオーバーキャップ、とからなる口栓であって、前記オーバーキャップは、前記吸い口キャップのストロー装着筒が貫通する貫通孔を有する天板と、該天板周縁に設けられた容器上面周縁に嵌合可能な周縁部と、前記天板あるいは周縁部のいずれかに連結されたストロー装着筒カバーとからなることを特徴とする口栓である。
【０００６】
請求項２記載の発明は、前記（Ａ）の吸い口キャップは、挿入筒が、開口部に嵌合する嵌合手段を備えていることを特徴とする、請求項１記載の口栓である。
【０００７】
請求項３記載の発明は、前記（Ａ）の吸い口キャップは、液漏れ防止カバーが、開口部を囲繞して容器上面に接する裾部を有する筒状体であることを特徴とする、請求項１記載の口栓である。
【０００８】
【０００９】
請求項４記載の発明は、開口部を設けた容器の上面に取り付けられる口栓であって、開口部に挿入される挿入筒と、容器上面に嵌合して取り付けられるオーバーキャップとからなり、前記オーバーキャップは、ストロー装着筒を備えた天板と、該天板周縁に設けられた、容器上面周縁に嵌合可能な周縁部と、前記天板あるいは周縁部のいずれかに連結されたストロー装着筒カバーとからなり、前記挿入筒とストロー装着筒は液密に上下方向に連結されていることを特徴とする口栓である。
【００１０】
請求項５記載の発明は、挿入筒の外側に、液漏れ防止カバーが設けられたことを特徴と
する、請求項４記載の口栓である。
【００１１】
請求項６記載の発明は、液漏れ防止カバーが、開口部を囲繞して容器上面に接する裾部を有する筒状体であることを特徴とする、請求項５記載の口栓である。
【００１２】
【発明の実施の形態】
以下、図面を参照して本発明を詳細に説明する。
図１は本発明の口栓に用いる吸い口キャップの一実施例とその参考例としての使用方法を示す説明図であり、図１（Ａ）は斜視図、図１（Ｂ）は断面図であって、図中１０は容器、２０は本発明の口栓に用いる吸い口キャップである。
【００１３】
図１に示した本発明の口栓に用いる吸い口キャップ２０は、容器１０の上面に設けられた開口部１２に嵌合して取り付けられるもので、開口部１２に挿入する挿入筒２１とその外側に設けられた液漏れ防止カバー２２と、挿入筒２１の上部に設けられたストロー装着筒２５とからなっている。
【００１４】
挿入筒２１は、図１（Ｂ）に示すように開口部１２を通じて容器内外を連通する筒状体であって、その下方には容器開口部１２の内側に嵌合する嵌合手段としての係止リング２６を備えており、吸い口キャップ２０を容器１０に取り付け可能にしている。
【００１５】
挿入筒２１の外側には、挿入筒２１の上端から外方に向かってわずかに張り出したのち下方に向かう筒状の液漏れ防止カバー２２が設けられている。液漏れ防止カバー２２の下端は、前記開口部１２を囲繞して容器上面に接する裾部２３となっており、開口部１２から内容物が漏れても外部には漏らさないように構成されている。
【００１６】
挿入筒２１の上方には、内容物吸引用のストローを装着可能なストロー装着筒２５が設けられている。ストロー装着筒２５の上端はわずかに拡径してラッパ状に形成されている。ストロー装着筒２５はストローを挿入するものであるが、直接口を付けて内容物を摂取する吸い口としても機能する。
【００１７】
この吸い口キャップ２０は、図１（Ａ）に示すように、容器外方から開口部１２に押し込むようにして、係止リング２６を開口部１２の容器内面側に係止させて装着することができる。
【００１８】
吸い口キャップ２０はエラストマーあるいはシリコンゴムないし天然ゴムなどの、柔軟性樹脂からなる。このように柔軟性樹脂からなることによって、使用者が直接口を付けても違和感がなく、また容器開口部への取り付けが容易で、しかも密閉性がよいものとなる。
【００１９】
容器１０は、金属製、プラスチック製、ガラス製あるいは紙製など、任意の材料からなる缶状容器が使用できる。
【００２０】
図２は本発明の口栓の一実施例を示すもので、図２（Ａ）に示すように、図１に示した吸い口キャップ２０とほぼ同形状の吸い口キャップ１２０と、容器上面の周縁１４に嵌合可能に形成した、前記吸い口キャップ１２０を覆うストロー装着筒カバー３５を具備したオーバーキャップ３０とからなるものであって、前記オーバーキャップ３０は、容器上面の周縁１４に嵌合可能な周縁部３２と前記吸い口キャップ１２０のストロー装着筒２５が貫通する貫通孔３３を有する天板３４と、前記周縁部３２に連結されたストロー装着筒カバー３５とからなっている。
【００２１】
オーバーキャップ３０の天板３４に設けられた貫通孔３３の天板内面側の周囲には、接続リブ３１が設けられており、この接続リブ３１が吸い口キャップ２０に設けられた接続溝２８に係合し、両者を液密に接続する。
【００２２】
天板３４の周縁に設けられた周縁部３２は、容器１０の開口部１２を設けた上面の周縁１４を挟み込むようにして係合可能な外周壁３６と内周壁３８とからなる嵌合構造となっており、オーバーキャップ３０を容器１０に取り付け可能としている。
【００２３】
オーバーキャップ３０には、前記吸い口キャップ２０を覆うストロー装着筒カバー３５が設けられており、このストロー装着筒カバー３５は、図２（Ｃ）に示すように前記周縁部３２に連結片３３を介して連結されている。また、ストロー装着筒カバー３５は、図２（Ｂ）に示すようにその天面内面側に設けられたインナーリング３９をストロー装着筒２５に挿入するようにして固着される。
なお、ストロー装着筒カバー３５は、天板３４に連結されていてもよい。
【００２４】
このようにストロー装着筒カバー３５を有する口栓は、容器内の内容物を一度に消費し終えない場合に、容器を密封できるので好ましい。
【００２５】
オーバーキャップ３０の材質は、吸い口キャップと同様の柔軟性樹脂のほか、ポリエチレンやポリプロピレンなどのポリオレフィン系樹脂製とすることができる。
【００２６】
図３は、本発明の口栓の他の例を示すもので、図２に示した口栓と同等の構造部分について同じ符号を付してある。
【００２７】
図３の口栓は、容器１０の開口部に挿入される挿入筒２１と、容器上面に嵌合して取り付けられるオーバーキャップ３０とからなるもので、オーバーキャップ３０は、ストロー装着筒２５を備えた天板３４と、該天板３４の周縁に設けられた、容器上面周縁に嵌合可能な周縁部３２と、周縁部３２に連結片３３を介して連結されたストロー装着筒カバー３５とからなっている。
【００２８】
オーバーキャップ３０の天板３４に設けられたストロー装着筒２５の天板内面側の周囲には、接続リブ３１が設けられており、この接続リブ３１が、前記挿入筒２１の上縁に設けられた接続溝２８に係合し、両者を液密に接続する。
【００２９】
オーバーキャップ３０の周縁部３２の構造は図２に示したものと同様であり、この周縁部３２によりオーバーキャップは容器上縁周縁部に嵌着される。
【００３０】
なお、挿入筒２１の外側には、図１ないし図２に示したものと同様の液漏れ防止カバーを設けてよいことはもちろんである。この液漏れ防止カバーは、挿入筒２１の外側に位置するように挿入筒２１と一体に設けてもよく、あるいは挿入筒２１の外側に位置するように、オーバーキャップ３０の天板３４の内面側に垂下させて設けてもよい。
【００３１】
【発明の効果】
本発明は上記構造からなり、容器の開口部に取り付けて使用した際、開口部に取り付ける部材が柔軟性樹脂からなるので、内容物の開口部からの漏れが従来品に比べ改善される。特に、液漏れ防止カバーを設けた構造とすることにより、一層、漏れが防止される。また、ストロー装着筒にストローを装着することによって、容器からの内容物取り出しが容易となり、利便性が高いものとなる。
【図面の簡単な説明】
【図１】本発明の口栓に用いる吸い口キャップの一実施例とその参考使用例を示す説明図。
【図２】本発明の口栓の一実施例を示す説明図。
【図３】本発明の口栓の一実施例を示す説明図。
【符号の説明】
１０…容器
２０…吸い口キャップ
２１…挿入筒
２２…液漏れ防止カバー
２５…ストロー装着筒
３０…オーバーキャップ
【図１】
0004260378.tif 000002
【図２】
0004260378.tif 000003
【図３】
0004260378.tif 000004